(57)【要約】【課題】全周にトラス構造の構面を形成しつつ、該構面上に充分な開口部を設けることのできる、建築物における立体トラス構造の提供。【解決手段】高低差を設けて配する複数の外梁と、当該外梁間に立設する柱材及び斜材とからなる、建築物の立体トラス構造であって、前記建築物の隅部のうち少なくとも一箇所において、上方の外梁の隅部から二本の斜材を下方の外梁へ架設して多角形状の解放面を形成し、前記解放面の前面を解放したことを特徴とする。【選択図】図１
0003153357.tif 000002
【実用新案登録請求の範囲】
【請求項１】
高低差を設けて配する複数の外梁と、当該外梁間に立設する柱材及び斜材とからなる、建築物の立体トラス構造であって、
前記建築物の隅部のうち少なくとも一箇所において、上方の外梁の隅部から二本の斜材を下方の外梁へ架設して多角形状の解放面を形成し、前記解放面の前面を解放したことを特徴とする、建築物の立体トラス構造。
【考案の詳細な説明】
【技術分野】
【０００１】
本考案は、斜材を用いた建築物の立体トラス構造に関する。
【背景技術】
【０００２】
従来の建築構造として、外周に位置する外柱と外梁とを相互に連結するように斜材（ブレース）を設置してトラス構造の構面を形成し、構造物全体の剛性を高める構造が知られている。
【先行技術文献】
【特許文献】
【０００３】
【特許文献１】特開２００７−２６２７５３号
【考案の概要】
【考案が解決しようとする課題】
【０００４】
斜材は柱と梁の間に設置されるため、トラス構面上に建築物の出入口や窓等の開口部分を設けようとしても斜材が干渉してしまう。
したがって、外周面の一部分に開口部分を設けるためには、当該箇所をラーメン構造とするなど、斜材を設置しない構造とすることが一般的であった。
【課題を解決するための手段】
【０００５】
前記課題を解決するためになされた本願の第１考案は、高低差を設けて配する複数の外梁と、当該外梁間に立設する柱材及び斜材とからなる、建築物の立体トラス構造であって、前記建築物の隅部のうち少なくとも一箇所において、上方の外梁の隅部から二本の斜材を下方の外梁へ架設して多角形状の解放面を形成し、前記解放面の前面を解放したことを特徴とする、建築物の立体トラス構造を提供するものである。
【０００６】
外梁によって囲まれた平面空間の形状はあらゆる多角形状であってもよい。
また、外梁によって囲まれた平面空間面は、トラス構造等を採用して剛構造の床面を形成することもできる。
【考案の効果】
【０００７】
本願考案によれば、以下に記載する効果のうち、少なくとも何れか一つを得ることができる。
（１）出入口や窓を設ける壁面を有する建築物においても、全周に渡って斜材を用いたトラス構造を形成することができる。したがって、同等の施工コストで構築されるラーメン構造などの従来構造と比較してより安定性の高い構造を提供することができる。
（２）柱、梁材、斜材等の各部材を予め工場で製作しておき、当該部材を現場で組み上げるだけで構造物を構築することができるため、ＲＣ造の住宅等と比較して、施工コストの低減及び納期の短縮を図ることができる。
（３）柱、梁材、斜材等の各部材を取り外すだけで容易に建築物の解体を行うことができる。また、取り外し後の各部材を再利用することができるため、施工コストの低減化並びに環境に配慮した形とすることができる。
（４）地震等が発生した場合、水平剪断力の大部分は、建築物の外周面全てに配された斜材に作用し、斜材に発生する軸力で釣り合うように作用するため、ラーメン構造や外周を耐震壁とした構造と比較して、応力が明確化され、解析・構造設計が容易になる。
（５）意匠性に富んだ建築物を構築することができる。
【図面の簡単な説明】
【０００８】
【図１】本考案の第１実施例に係る立体トラス構造の概略図である。
【図２】図１の平面図である。
【図３】本考案の第２実施例に係る立体トラス構造の概略図である。
【図４】本考案の第３実施例に係る立体トラス構造の概略図である。
【図５】本考案のトラス構造の構築方法の一例を示す図である。
【考案を実施するための形態】
【０００９】
以下、図面を参照しながら、本考案の実施例について説明する。
【実施例１】
【００１０】
＜１＞全体構成
本実施例は、平面四角形状の１階建ての建築物を想定したものである。
図１は本考案の第１実施例に係る立体トラス構造の概略図であり、図２は図１の平面図である。
【００１１】
外梁１Ａ，１Ｂは互いに高低差をつけて配されている。
下方の外梁１Ａは、図示しない基礎（基礎杭や基礎梁）の上に、複数の梁材を梁間方向及び桁行方向に架設することにより形成され、１階部分の床面が構築される。
上方の外梁１Ｂは、前記外梁１Ａから立設する複数の柱２の上に複数の梁材を同様に架設することにより形成され、天井部分が構築される。
【００１２】
なお、前記外梁１Ａによって形成される床面は、別途木造、鋼製、ＲＣ等からなる部材によってトラスを形成し、剛構造とすることが望ましい。
【００１３】
＜３＞斜材の配置形態
図１に示す立体トラス構造では、前記外梁１Ａ、１Ｂの間の外周面に、斜材３が連続的に配置されてトラス構造の構面Ａが形成される。
【００１４】
斜材の配置形態についてより詳細に説明する。
外梁１Ａ，１Ｂ間の連結部分に相当する隅部Ｂを挟むように配置される斜材３の一端は、上方の外梁１Ｂの隅部を構成する梁材の連結部分に位置するように、ピン接合される。
そして、前記隅部Ｂのうち一箇所について当該隅部Ｂを挟む斜材３の他端同士を連結材４で連結し、柱２を予め設置しないか、最終的に撤去する構造とする（図２参照）。
【００１５】
上記の構造とすることにより、前記隅部Ｂにおいて二つの斜材３と連結材４とで囲まれた三角形状の開放面Ｃが形成され、当該開放面Ｃの前面に柱材を不要とし、建築物の出入口や窓などの開口部を形成することができる。
【実施例２】
【００１６】
本実施例は、２階建ての平面四角形の建築物を想定したものである。
図３は、本考案の第２実施例に係る立体トラス構造の概略図である。
以下に、実施例１と異なる点のみ説明する。
【００１７】
図３に示すトラス構造では、前記斜材３が２階部分の床面を構成する外梁１Ｂを介して、外梁１Ａと１Ｃとの間にトラス構面を形成するように連続的に配置されている。
また、外梁１Ａ、１Ｂ、１Ｃ間の連結部分に相当する隅部Ｂを挟むように配置される斜材３の一端が、外梁１Ｃの隅部、すなわち該隅部を構成する梁材の連結部分に位置するようにピン接合されている。
そして、前記隅部Ｂの外梁１Ａと１Ｂとの間の柱２は最終的に撤去可能な構成とされている。
【００１８】
上記の構造とすることにより、前記隅部Ｂにおいて、二つの斜材３と外梁１Ｂとの結合部分と連結材４の両端とで囲まれた台形型の開放面Ｃが形成され、当該開放面Ｃに建築物の出入り口を形成することができる。
【実施例３】
【００１９】
本実施例は、高層建築物を想定したものであり、図４は、本考案の第３実施例に係る立体トラス構造の概略図である。
以下に、実施例１、２と異なる点のみ説明する。
【００２０】
図４に示す立体トラス構造では、隅部Ｂに梁材１１を配して、いわゆる面取りがなされたような平面形状を呈する外梁１Ａ，１Ｂ等が形成され、当該隅部Ｂに柱２を設置せずに開放面Ｃを形成する構造を呈している。
【００２１】
また、開放面Ｃにも斜材３を配置してトラス構面を形成してある。このように形成されたトラス構面であっても、直角に形成された隅部にトラス構面を形成した構造よりも広い開口部を形成することができる。
【００２２】
また、本実施例は高層建築物であって、実施例１，２の建築物よりもトラス構造への荷重が大きいため、構面Ａ内の斜材３間にも中柱２１を配して、全体の安定性を高めている。
【実施例４】
【００２３】
図５は、本考案の建築物の立体トラス構造の構築方法の一例を示す図である。
本実施例は、２階建ての平面四角形の建築物のトラス構造の構築方法を想定するものである。
【００２４】
まず、複数の梁材を梁間方向及び桁行方向に架設して１階部分の床面を構成する外梁１Ａを形成する（図４（ａ））。
【００２５】
次に、外梁１Ａの隅部Ｂに柱２を立設する。このとき、出入り口を形成する予定の隅部には、後に撤去可能な仮柱２１を設置しておく（図４（ｂ））。
その後、柱２の上に梁材を梁間方向及び桁行方向に架設して２階部分の床面を構成する外梁１Ｂを形成し、さらに外梁１Ｂの隅部Ｂにさらに柱２を立設したのち、天井部分の外梁１Ｃを形成する。（図４（ｂ））。
【００２６】
次に、外梁１Ａ、１Ｂ，１Ｃ間に斜材３を配置して、トラス構造の構面Ａを形成する。前述の通り、外梁１Ａ、１Ｂ、１Ｃ間の連結部分に相当する隅部Ｂを挟むように配置される斜材４の一端が、外梁１Ｃを構成する梁材の連結部分に連結するように配置する（図４（ｃ））。
【００２７】
前記隅部Ｂのうち一箇所について当該隅部Ｂを挟む斜材４の他端同士を連結材５で連結する（図４（ｄ））。
【００２８】
前記仮柱２１を撤去する。仮柱の直上に設置された柱２は最終的に吊り柱２２として機能する（図４（ｅ））。
【００２９】
以上の工程により、前記一箇所の隅部Ｂにおいて、二つの斜材３と外梁１Ｂとの結合部分と連結材４の両端とで囲まれた台形型の開放面Ｃが形成され、当該開放面Ｃに建築物の出入り口を形成することができる。
【符号の説明】
【００３０】
１Ａ，１Ｂ，１Ｃ：外梁
２  ：柱
２１：仮柱
２２：吊り柱
３  ：斜材
４  ：連結材
５  ：結合部
６  ：中柱
Ａ  ：構面
Ｂ  ：隅部
Ｃ  ：開放面
【図１】
0003153357.tif 000003
【図２】
0003153357.tif 000004
【図３】
0003153357.tif 000005
【図４】
0003153357.tif 000006
【図５】
0003153357.tif 000007